(57)【要約】      （修正有）【課題】自動推出式鉛筆を提供する。【解決手段】自動推出式鉛筆は、ペン棒内に予備のペン芯筒を設置し、且つ、ペン芯を重複して置入する時、元からあったペン棒内のペン芯を円滑に出すことができ、ペン芯が詰まらない。本構造は、主に、ペン頭、ペン棒、挟制装置、弾性素子、導管、及び、ペン芯筒からなり、ペン頭はペン棒底端に固定され、上端は挟制装置を結合すると共に、弾性素子を連接し、更に、上端に導管を挿入する。ペン芯が導管上の導引弧面から置入される時、上端に挿入されるペン芯筒により、ペン芯を挟制装置に圧制して使用し、ペン芯の円滑な圧制を確保する。弾性素子により、導管がペン芯筒の圧制を受けない時、上昇して、挟制装置上のペン芯と一定距離を保持し、別のペン芯を挿入でき、且つ、ペン芯筒内に数本の予備のペン芯を入れることができる。【選択図】図３
0003142799.tif 000002
【実用新案登録請求の範囲】
【請求項１】
自動推出式鉛筆であって、主に、ペン頭、ペン棒、挟制装置、弾性素子、導管、及び、ペン芯筒からなり、その特徴は、前記導管と前記挟制装置間に弾性素子を連接し、前記導管は前記挟制装置で上下に可動することを特徴とする自動推出式鉛筆。
【請求項２】
前記ペン芯筒は蓋を有し、且つ、前記蓋の端面に導引弧面を形成することを特徴とする請求項１に記載の自動推出式鉛筆。
【請求項３】
前記導管の頂端面に導引弧面を形成し、中央の通孔まで延伸することを特徴とする請求項１に記載の自動推出式鉛筆。
【請求項４】
前記導管内に、中空の導棒を有し、且つ、前記導棒底端は、下向けに導引孔を形成していることを特徴とする請求項１に記載の自動推出式鉛筆。
【考案の詳細な説明】
【技術分野】
【０００１】
本考案は自動推出式鉛筆に関するものであって、主に、ペン頭上端の挟制装置と導管間に弾性素子を設置し、頂端に交換可能なペン芯筒を設置し、ペン芯筒により、ペン芯を垂直に安定して圧制する自動推出式鉛筆に関するものである。
【背景技術】
【０００２】
公知の推出式鉛筆は、図１で示されるように、中空のペン棒1を有し、底端はペン頭１０を連結している。ペン頭１０の中央には、ペン先１１を設置し、ペン頭１０はスリーブ１００を延伸して、ペン棒と定位している。ペン先１１は束環１１０を設置し、摩擦力作用でペン芯１２を引動する。ペン先１１上には、挟制装置を有し、二つの半円の挟制片１３からなる。底端はペン先１１頂端の槽内に延伸し、ばね１４を設置して、ペン先１１が上下に移動する。挟制片１３下方に、凹弧１３１を設置し、ボール１５を置入すると共に、内スリーブ１６の内環壁に結合する。内スリーブ１６上方は導管１７を有し、最上端は蓋体１８を利用して蓋合し、頂端に消しゴム１８１を設置する。
【０００３】
ペン芯１２が、導管１７から下に置入され、挟制片１３に達する時、書く動作がペン先１１を圧制し、自動的にペン芯１２を推出し、押したり何かを操作せずにも書くことができ、且つ、継続できるので、使用が便利である。しかし、公知の推出式鉛筆のペン芯は長く、長いペン芯を導管１７内に置入する時、ペン芯を下移させる装置がないので、ペン棒１を揺動し、ペン芯１２を挟制片１３内に下滑させ、その後、ペン先１１を圧制することにより、ばね１４を圧縮して、ペン先１１をペン棒１内に内縮させ、施力を開放し、ばね１４の回復力により、ペン先１１がペン頭１０から突出し、同時に、ペン芯を一定距離引き出して、数回重複すると、ペン芯１２が推出されて使用できる。
【０００４】
ペン棒１内の導管１７が、ペン芯１２を内に有するかどうかは、ペン棒１外観を見てもわからず、どの程度書いたのかも判別できないので、使用者は蓋体１８を取り、もう一本のペン芯１２を置入する時、導孔１９で止まって、ペン芯１２が折れて詰まり、ペン具が使用できなくなる。
【０００５】
且つ、ペン棒１内には、ペン芯筒が設置されていないので、ペン棒内に予備のペン芯を準備しておくこともできず、携帯上不便である。
【考案の開示】
【考案が解決しようとする課題】
【０００６】
本考案の目的は、特に、ペン芯を重複して置入する時、ペン棒内に元からあったペン芯を円滑に押し出し、ペン芯が詰まることがなく、また、ペン棒内に予備のペン芯を設置できる自動推出式鉛筆を提供することにある。
【課題を解決するための手段】
【０００７】
本考案の自動推出式鉛筆の改良構造は、ペン頭、ペン棒、挟制装置、弾性素子、導管、及び、ペン芯筒からなる。ペン頭はペン棒底端に固定され、上端は挟制装置を結合すると共に、弾性素子を連接し、更に、上端に導管を挿入する。ペン芯が導管上の導引弧面から置入される時、上端に挿入されるペン芯筒を利用し、ペン芯を圧制して挟制装置に下移させ、ペン芯の円滑な圧制を確保する。
【考案の効果】
【０００８】
本考案により、ペン芯を重複して置入する時、ペン棒内に元からあったペン芯を円滑に押し出し、ペン芯が詰まることがなく、また、ペン棒内に予備のペン芯を準備できる。
【考案を実施するための最良の形態】
【０００９】
まず、図２は本考案の立体外観図である。主に、ペン棒２、ペン頭３、ペン芯筒４、及び、ペン棒２内の挟制装置５と導管６、及び、その上の弾性素子５０、からなる。ペン頭３はペン棒２底端を結合し、ペン先３０はペン頭３から突出し、頂端のペン芯筒４は、ペン棒２の中空内部に置入される。導管６、及び、挟制装置５と弾性素子５０の構造は、図３で示される。ペン頭３頂端は挟制装置５と連結し、弾性素子５０が挟制装置５に設置された後、導管６を穿入して、弾性素子を導管６の係合柱６１と挟制装置５の結合柱５１の間に結合すると共に、導管６を圧制して、弾性素子５０を圧縮し、結合柱５１上で上下移動する。且つ、導管６の頂端面は導引弧面６２を開設し、中央には、ペン芯４０が通過する通孔６３を有する。導管６内に導棒６４を設置し、且つ、底端は導引孔６４１を形成する。この他、ペン芯筒４はペン棒２中空内部に適合し、上端に端頭４１を形成し、頂端は消しゴム４１０を連接し、底端は蓋４２により、余分のペン芯を筒内に保存して予備とする。
【００１０】
図４は、本考案の設計ポイントを示す図で、係制装置５と導管６は弾性素子５０を結合すると共に、ペン頭３上に結合され、且つ、すべて、ペン棒２底端から置入して定位する。ペン芯筒４は管状で、上端は大きい端頭４１を形成し、ペン棒２頂端を抵制し、端頭４１上端に消しゴム４１０を設置し、底端には蓋４２を設置して、垂直に、安定してペン芯４０を圧制する。
【００１１】
続いて、ペン芯筒４の構造が図５で示され、ペン芯筒４は端頭４１を形成し、消しゴム４１０を設置し、蓋４２は開くことができ、端辺に導引弧面４２１を形成する。蓋４２を外すとき、ペン芯４０は柱４３上の通孔４３１から挿入され、その後、蓋４２を閉じると、数本のペン芯４０を予備として携帯することができる。ペン芯筒４がペン棒２頂端に挿置される時、使用者（特に児童）はペン棒の末端を口に入れて噛み、端頭４１、或いは、消しゴム４１０を破損変形させることがあるが（図６）、このとき、ペン具を廃棄しなくても、新しいペン芯筒４を交換するだけでよい。
【００１２】
本考案の実際の使用時、図７で示されるように、ペン芯筒４０を引き出し、ペン棒２の通孔２０から脱離させた後、ペン芯４０を通孔２０から置入し、ペン芯筒４を挿入すると共に、蓋４２によりペン芯４０を圧制すれば、ペン芯４０の置入作業が完成する。
【００１３】
ペン芯４０を置入する時の動作原理は、図８〜図１１で示されるように、ペン芯４０をペン棒２内部に置入する時（図８）、ペン芯４０の一端が直接、導管６頂端の導引弧面６２に接触し、導引弧面６２の斜度により、ペン芯４０の端部が通孔６３に導引され（図９）、この時、ペン芯筒４を置入し、蓋４２がペン芯４０のもう一つの端部に接触するまで下降する時、導引弧面４２１により、ペン芯４０の端部を中央に導引し（図１０）、ペン芯４０を垂直で偏移しないように維持するので、上端から下向けに施力する時、導管６の通孔６３を抵制するペン芯４０端は、圧制力を受けて、導管６を下圧し、弾性素子５０を圧縮させ、導管６が再下降できなくなった時、ペン芯４０は、圧制を受け続け、導管６の導棒６４内に穿入し、挟制装置５の結合柱５１中央の通孔内を通過し、ペン頭３に下降する。ペン芯４０の長さは、ペン芯筒４が端部に下圧する時、丁度、ペン芯４０がペン先３０を突出して書けるように設置され、ペン芯がペン先３０を推出しない、或いは、突出したペン芯４０が書き終わる時、書く動作により、ペン先３０を圧制し、押圧動作により、ペン芯４０をゆっくりと引き出し（公知の構造なので詳述しない）、よって、ペン芯４０を置入後、押したり、その他の動作なしでも、ペン芯４０を推出して使用できる。
【００１４】
置入したペン芯４０が書き終わる、或いは、新しいペン芯４０を置入したい時、図１１で示されるように、まず、ペン芯筒４を端頭４１から取り出すと、導管６が受ける圧制力が瞬間に消失し、導管６は弾性素子５０の回復力上昇により、元のペン芯４０と一定距離を保持し、この空間により、もう一本のペン芯４０を置入できる。導管６の下圧時、挟制装置５の結合柱５１と一定距離を有するので、ペン棒２内に元からあったペン芯４０は、導管６の通孔６３に照準しにくいので、本考案は、導棒６４を導管６内に設置し、導棒６４は中空で、頂端と通孔６３は対面し、底端は導引孔６４１を形成し、導棒６４がペン芯４０の端頭まで下圧する時、導引孔６４１により、ペン芯４０を中空内部に導入し、導管６の導孔６３を穿出し、ペン芯４０が折れたり、詰まったりしない。重複した圧制動作により、元のペン芯４０をペン先３０に導出、推出する。
【図面の簡単な説明】
【００１５】
【図１】公知の装置の断面図である。
【図２】本考案の立体外観図である。
【図３】本考案の立体分解図である。
【図４】本考案のペン芯の組み合わせ構造図である。
【図５】本考案のペン芯の構造図である。
【図６】本考案のペン芯筒の交換図である。
【図７】本考案のペン芯を装着する動作図である。
【図８】本考案のペン芯を装着する局部図１である。
【図９】本考案のペン芯を装着する局部図２である。
【図１０】本考案のペン芯装着時、ペン芯筒を挿入する圧制状態図である。
【図１１】本考案のペン芯筒を取り出す図である。
【符号の説明】
【００１６】
１  中空のペン棒
２  ペン棒
３  ペン頭
４  ペン芯筒
５  挟制装置
６  導管
１０  ペン頭
１１  ペン先
１３  挟制片
１４  ばね
１５  ボール
１６  内スリーブ
１７  導管
１８  蓋体
３０  ペン先
４１  端頭
４２  蓋
４３  柱
５０  弾性素子
５１  結合柱
６１  係合柱
６２  導引弧面
６３  通孔
６４  導棒
１００  スリーブ
１１０  束環
１３１  凹弧
１８１  消しゴム
４１０  消しゴム
４２１  導引弧面
６４１  導引孔
【図１】
0003142799.tif 000003
【図２】
0003142799.tif 000004
【図３】
0003142799.tif 000005
【図４】
0003142799.tif 000006
【図５】
0003142799.tif 000007
【図６】
0003142799.tif 000008
【図７】
0003142799.tif 000009
【図８】
0003142799.tif 000010
【図９】
0003142799.tif 000011
【図１０】
0003142799.tif 000012
【図１１】
0003142799.tif 000013